(57)【要約】上記技術的課題は、呼び掛け応答機及び幾つかのトランスポンダーから成る非接触識別システム内の呼び掛け応答機のゲインを自動的に設定する方法であって、呼び掛け応答機の受信機増幅器内において、  増幅された入力信号がアタック閾値電圧レベルＶａｔｔを超える毎に呼び掛け応答機の受信機増幅器においてアタックが実施され、アタックの終了後にトランスポンダーデータ波パケットにおける隣接したパルス間の最長時間間隔の二倍の長さに等しいのが好ましい長さの少なくとも待ち期間中、受信機増幅器が、ゲインを設定する方向では応答しない。しかし、受信機増幅器は、アタックの終了後の最後の瞬時増幅信号の値が待ち閾値電圧レベルＶｗを超えた時に始動した待ち期間の経過後に作動したディケイに応動する。ディケイ率はアタック率と同程度の大きさである。ゲインを自動的に設定する改良された方法によれば、非接触識別システム内の呼び掛け応答機は実際に入力信号の本質的特徴を変えないようにすることができる。
2006512812.tif 000002
【特許請求の範囲】
【請求項１】
呼び掛け応答機及び幾つかのトランスポンダーから成る非接触識別システム内の呼び掛け応答機のゲインを自動的に設定する方法であって、
呼び掛け応答機の受信機増幅器内において、増幅された入力信号がアタック閾値電圧レベルＶａｔｔを超える毎にアタックが実施され、アタックの終了後にディケイが実施され、
アタックの終了後の最後の瞬時増幅信号が待ち閾値電圧レベルＶｗを超えた時に始動した待ち期間の経過後に作動したディケイ（減衰）に増幅器が応動する
ことを特徴する方法。
【請求項２】
ディケイ率がアタック率と同程度の大きさであることを特徴とする請求項１に記載の方法。
【請求項３】
待ち期間の長さが、トランスポンダーデータ波パケットにおける隣接したパルス間の最長時間間隔の二倍の長さに等しいことを特徴とする請求項１又は２に記載の方法。
【発明の詳細な説明】
【技術分野】
【０００１】
本発明は、呼び掛け応答機及び幾つかのトランスポンダーから成る非接触識別システム内の呼び掛け応答機のゲインを自動的に設定する方法の改良に関するものであり、呼び掛け応答機の受信機増幅器内において、増幅された入力信号がアタック閾値電圧レベルを超える毎にアタック（ゲイン降下）が実施され、アタックの終了後にディケイ（減衰すなわちゲイン上昇）が実施され、該改良は、呼び掛け応答機と幾つかのトランスポンダーとの間の通信特性を考慮することによって行われる。
【背景技術】
【０００２】
非接触識別システムは、無線周波数電磁波を発生する呼び掛け応答機と、上記電磁波がエネルギー源を表す一つ又は幾つかのトランスポンダーとから成っている。トランスポンダーは、受信した適当に変調した波を送信することによって呼び掛け応答機にデータを伝送する。
【０００３】
受信信号のレベルにおける上記変調によって生じた変動は、呼び掛け応答機の受信機において増幅される。最大可能通信スペース領域をカバーするために、受信機は入力ノイズレベルで許された最大ゲインをもつ。受信信号のレベルの範囲は、呼び掛け応答機と複数のトランスポンダーの任意の一つとの間の距離が実際にはゼロから通信がなお可能である最大距離まで全く異なるため、どちらかと言えば広い。従って、受信機は、非常に低い入力信号も確かに受信するように高ゲインをもつ。高い入力信号の増幅時に困難が生じないようにするために、任意公知の方法が用いられ、二種類、すなわち、増幅された入力信号を制限するか又は受信機のゲインを入力信号レベルに自動的に調整する。
【０００４】
第１の種類の公知の方法では、増幅された入力信号は増幅段において制限され、増幅器フィードバックループにおける抵抗はツェナーダイオードで分岐され、すなわち、信号の振幅がツェナーダイオードの閾値を越えると、ゲインは直ちに低減される。この方法の欠点は、増幅器の出力における有効信号とノイズ信号との比が増幅器の入力におけるものより悪いことにある。
【０００５】
第２の種類の公知の方法では、ゲインは自動的に、例えば特許文献１に記載の仕方に従って設定される。この方法は特に電話通信及びオーディオシステムの分野において公知である。この方法によれば、入力信号レベルが高い時には、受信用パスのゲインは自動的に調整され、すなわち下げられ、それで、受信信号は線形受信機動作範囲内に留まる。
【０００６】
あまりにも高い信号が検出されると、アタックが実施され、それにより、適切な信号高さに到達するまでゲインの迅速な低下操作が始動される。信号が出口に出なくなる瞬時に又はその時に、ディケイが始まる。そしてゲインは、システムが次のアタックまで持続する、ゆっくりと高レベルに上昇する。正弦波形の入力信号が適正に長い時間の間高い時には、出力振幅は実際に、ゲイン修正作動の限界以下に下げられ、ディケイは再び線形領域から出力信号を上昇させ、その結果再度アタックが実施される。システムは、アタック状態とディケイ状態との間で普遍的に切り替わる。アタック率はディケイ率より数オーダー大きい大きさでなければならず、さらに、両率は入力信号の特性及び周波数スペクトルに整合されなければならない。
【０００７】
特許文献２には、信号が比較的高い第１のレベル及び比較的低い第２のレベルをそれぞれ超えた後一定の時間遅延してアタック及びディケイが実施されない、自動的に設定可能なゲインをもつ回路が開示されている。信号の高さがゼロを超える時の時間間隔は、連続した信号のゲイン変化の好ましい領域として選択され、それにより、出力信号は最低の程度に歪ませられる。回路は連続した信号を予知し、波パケットの形態の脈動信号の特性を利用しない。
【特許文献１】米国特許第５，９２９，７０６号
【特許文献２】米国特許第６，１２２，３３１号
【発明の開示】
【発明が解決しようとする課題】
【０００８】
従って、本発明で解決しようとする技術的課題は、呼び掛け応答機から個々のトランスポンダーまでの距離の遠近に関係なく、呼び掛け応答機の最終増幅段における受信信号のレベルが線形領域の上限以下であるように非接触識別システム内の呼び掛け応答機のゲインを自動的に設定する方法を、波パケットの形態のトランスポンダー信号の特性に基いて改良する仕方にある。
【課題を解決するための手段】
【０００９】
上記技術的課題は、呼び掛け応答機及び幾つかのトランスポンダーから成る非接触識別システム内の呼び掛け応答機のゲインを自動的に設定する方法であって、呼び掛け応答機の受信機増幅器内において、増幅された入力信号がアタック閾値電圧レベルＶａｔｔを超える毎にアタックが実施され、アタックの終了後にディケイが実施され、アタックの終了後の最後の瞬時増幅信号の値が待ち閾値電圧レベルＶｗを超えた時に始動した待ち期間の経過後に作動したディケイに増幅器が応動することを特徴する方法によって解決される。
【００１０】
本発明の方法はさらに、ディケイ率がアタック率と同程度の大きさであり、また待ち期間の長さが、トランスポンダーデータ波パケットにおける隣接したパルス間の最長時間間隔の二倍の長さであることを特徴とする。
【発明の効果】
【００１１】
本発明によって改良されたゲインを自動的に設定する方法によれば、非接触識別システム内の呼び掛け応答機は入力信号の本質的特徴を変えないようにすることができる。
【発明を実施するための最良の形態】
【００１２】
以下添付図面を参照して例として実施形態の記載により本発明を詳細に説明する。
【００１３】
呼び掛け応答機及び幾つかのトランスポンダーから成る非接触識別システムにおいて、呼び掛け応答機のゲインを自動的に設定する改良された方法が用いられる。
【００１４】
呼び掛け応答機の受信機増幅器において、増幅された入力信号がアタック閾値電圧レベルを超える毎にアタックが実施され、アタックの終了後にディケイが実施される公知の方法は、本発明によって次のように改良される。
【００１５】
アタックの終了後、待ち状態が設けられ、増幅器はゲイン設定の感覚では応答しない。しかし、増幅器は、アタックの終了後の最終の瞬時増幅信号の値が待ち閾値電圧レベルＶｗを超えた時に始動した待ち期間の経過後のディケイに応答する。
【００１６】
データ波パケットにおける隣接したパルス間の最短及び最長時間間隔は、通信プロトコルによって正確に決められる。すなわち、信号周波数スペクトルは既知であり、そして待ち期間の経過後に速いディケイが実施されるようにするために、データ波パケットの到達が止まった時に、本発明の方法の目的で正確に決められ得る。しかし、またデータ波パケットにおける入力信号レベルはほぼ一定であることも知られており、トランスポンダーは、特定のデータ波パケットの伝送中にはその位置を相当には変化できないことが予想される。従って、ゲインは波パケットの到達の開始時に設定され、そして波パケットの到達が止まるまで一定のままである。そこから、ゲインを自動的に設定する改良された方法に従って機能する非接触識別システム内の呼び掛け応答機が実際に入力信号の本質的な特徴を変えなくできる以下の必要条件が引き出される。
【００１７】
ディケイ率は高く、アタック率と同じオーダーの大きさである。待ち期間の長さは、トランスポンダーデータ波パケットにおける隣接パルス間の最長時間間隔の二倍の長さに等しい。
【００１８】
しかし、アタック率は、適当な信号レベルがデータ波パケットの初期パルス後に既に確立されるように十分高くなければならない。
【００１９】
呼び掛け応答機は、例えばその呼び掛け応答機のエリアの近くに位置した第1のトランスポンダーとの通信、すなわち強い受信信号との通信が完了した後、別の遠いトランスポンダーとの通信、すなわち弱い受信信号との通信を開始し得るので、ディケイ率は、増幅器を迅速に高いゲインに到達させるために、高くなければならない。
【００２０】
従って、受信機のゲインを自動的に設定する本発明の方法が適用される呼び掛け応答機は、三つの動作状態、すなわちアタック、待ち及びディケイを持っている。
【００２１】
非接触識別システム内の呼び掛け応答機のゲインを自動的に設定する本発明の方法は、次のように機能する。アタックは入力信号Uinで実施され、出力信号Uoutはアタック閾値電圧レベルVattを超える。アタックは、出力信号Uoutがアタック閾値電圧レベルVatt以下に下がるまで続く。その後、待ち状態となり、この待ち状態の長さは少なくとも待ち期間の長さに等しく、すなわち待ち状態中、ゲインは変化しないままである。ディケイは、待ち期間の経過後に実施され、アタックの終了後の最後の瞬時増幅信号値が待ち閾値電圧レベルVwを超えた時に始動される。
【００２２】
図１における第１のグラフＩには、三つの連続したデータ波パケットの入力信号Ｕｉｎが示されている。すなわち、パケットａは比較的近いトランスポンダーから到達し、パケットｂはどちらかと言えば近いトランスポンダーから到達し、またパケットｃは遠隔のトランスポンダーから到達している。第２のグラフIIには、データ波パケットａ、ｂ、ｃに対応したアナログ出力信号Ｕｏｕｔ、（正の）アタック閾値電圧レベルＶａｔｔ及び待ち閾値電圧レベルＶｗが示され、デジタル出力信号Ｕ’ｏｕｔは第５のグラフＶに示されている。三つ全てのデータ波パケットａ、ｂ、ｃに対するデジタル出力信号Ｕ’ｏｕｔは、それらの強度が大きく違っているにもかかわらず、ほぼ同じ形態である。第３及び第４のグラフには、アタック信号Ｕａｔｔ及びディケイ信号Ｕｄｅｃが示され、これらの信号は、提案した方法に従って三つのデータ波パケットａ、ｂ、ｃに応じて実施される。
【００２３】
第１のデータ波パケットの到達時にアタックは実施され、そして出力信号Ｕｏｕｔがアタック閾値電圧レベルＶａｔｔ以下に下がるまで続く。そしてゲインは、増幅器がディケイに応答するまで変化しないままである。ディケイは、待ち期間の経過後、実施され、アタックの終了後の最後の瞬時増幅信号値が待ち閾値電圧レベルＶｗを超える時に始動される。
【００２４】
第２のデータ波パケットｂの到達時にアタックは実施される。ディケイは、第２のデータ波パケットｂの到達している実際に全時間続き、出力信号Ｕｏｕｔは、最低設定可能ゲインでもアタック閾値電圧レベルＶａｔｔを超える。はくそして出力信号Ｕｏｕｔがアタック閾値電圧レベルＶａｔｔ以下に下がるまで続く。データ波パケットの止まった後に続く待ち期間の経過後にゲインはそれの最高値にリセットされる。
【図面の簡単な説明】
【００２５】
【図１】呼び掛け応答機における受信機増幅器の入力及び出力における電圧の時間依存性、アタック信号、ディケイ信号、並びに強度の異なる三つの波パケットに対するデジタル表示における受信機増幅器の出力における電圧の時間依存性を示すグラフ。
2006512812.tif 000003
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
呼び掛け応答機及び幾つかのトランスポンダーから成る非接触識別システム内の呼び掛け応答機のゲインを自動的に設定する方法であって、
呼び掛け応答機の受信機増幅器内において、増幅された入力信号がアタック閾値電圧レベル（Ｖａｔｔ）を超える毎にゲイン降下が実施され、ゲイン降下の終了後にゲイン上昇が実施され、
ゲイン降下の終了後の最後の増幅信号の瞬時値が待ち閾値電圧レベル（Ｖｗ）を超えた時に始動した待ち期間の経過後に作動したゲイン上昇に増幅器が応動する
ことを特徴する方法。
【請求項２】
ゲイン上昇率がゲイン下降率と同程度の大きさであることを特徴とする請求項１に記載の方法。
【請求項３】
待ち期間の長さが、トランスポンダーデータ波パケットにおける隣接したパルス間の最長時間間隔の二倍の長さに等しいことを特徴とする請求項１又は２に記載の方法。
【手続補正２】
【補正対象書類名】明細書
【補正対象項目名】全文
【補正方法】変更
【補正の内容】
【発明の詳細な説明】
【技術分野】
【０００１】
本発明は、呼び掛け応答機及び幾つかのトランスポンダーから成る非接触識別システム内の呼び掛け応答機のゲインを自動的に設定する方法の改良に関するものであり、呼び掛け応答機の受信機増幅器内において、増幅された入力信号がアタック閾値電圧レベルを超える毎にアタック（ゲイン降下）が実施され、アタックの終了後にディケイ（減衰すなわちゲイン上昇）が実施され、該改良は、呼び掛け応答機と幾つかのトランスポンダーとの間の通信特性を考慮することによって行われる。
【背景技術】
【０００２】
非接触識別システムは、無線周波数電磁波を発生する呼び掛け応答機と、上記電磁波がエネルギー源を表す一つ又は幾つかのトランスポンダーとから成っている。トランスポンダーは、受信した適当に変調した波を送信することによって呼び掛け応答機にデータを伝送する。
【０００３】
受信信号のレベルにおける上記変調によって生じた変動は、呼び掛け応答機の受信機において増幅される。最大可能通信スペース領域をカバーするために、受信機は入力ノイズレベルで許された最大ゲインをもつ。受信信号のレベルの範囲は、呼び掛け応答機と複数のトランスポンダーの任意の一つとの間の距離が実際にはゼロから通信がなお可能である最大距離まで全く異なるため、どちらかと言えば広い。従って、受信機は、非常に低い入力信号も確かに受信するように高ゲインをもつ。高い入力信号の増幅時に困難が生じないようにするために、任意公知の方法が用いられ、二種類、すなわち、増幅された入力信号を制限するか又は受信機のゲインを入力信号レベルに自動的に調整する。
【０００４】
第１の種類の公知の方法では、増幅された入力信号は増幅段において制限され、増幅器フィードバックループにおける抵抗はツェナーダイオードで分岐され、すなわち、信号の振幅がツェナーダイオードの閾値を越えると、ゲインは直ちに低減される。この方法の欠点は、増幅器の出力における有効信号とノイズ信号との比が増幅器の入力におけるものより悪いことにある。
【０００５】
第２の種類の公知の方法では、ゲインは自動的に、例えば特許文献１に記載の仕方に従って設定される。この方法は特に電話通信及びオーディオシステムの分野において公知である。この方法によれば、入力信号レベルが高い時には、受信用パスのゲインは自動的に調整され、すなわち下げられ、それで、受信信号は線形受信機動作範囲内に留まる。
【０００６】
あまりにも高い信号が検出されると、アタックが実施され、それにより、適切な信号高さに到達するまでゲインの迅速な低下操作が始動される。信号が出口に出なくなる瞬時に又はその時に、ディケイが始まる（非特許文献１参照）。そしてゲインは、システムが次のアタックまで持続する、ゆっくりと高レベルに上昇する。上記特徴は特許請求の範囲における請求項１の前文に示される。正弦波形の入力信号が適正に長い時間の間高い時には、出力振幅は実際に、ゲイン修正作動の限界以下に下げられ、ディケイは再び線形領域から出力信号を上昇させ、その結果再度アタックが実施される。システムは、アタック状態とディケイ状態との間で普遍的に切り替わる。アタック率はディケイ率より数オーダー大きい大きさでなければならず、さらに、両率は入力信号の特性及び周波数スペクトルに整合されなければならない。
【０００７】
特許文献２には、信号が比較的高い第１のレベル及び比較的低い第２のレベルをそれぞれ超えた後一定の時間遅延してアタック及びディケイが実施されない、自動的に設定可能なゲインをもつ回路が開示されている。信号の高さがゼロを超える時の時間間隔は、連続した信号のゲイン変化の好ましい領域として選択され、それにより、出力信号は最低の程度に歪ませられる。回路は連続した信号を予知し、波パケットの形態の脈動信号の特性を利用しない。
【特許文献１】米国特許第５，９２９，７０６号
【特許文献２】米国特許第６，１２２，３３１号
【非特許文献１】モトローラ  アナログＩＣデバイス  デバイスデータＭＣ１４９０  ｐ．７
【発明の開示】
【発明が解決しようとする課題】
【０００８】
従って、本発明で解決しようとする技術的課題は、呼び掛け応答機から個々のトランスポンダーまでの距離の遠近に関係なく、呼び掛け応答機の最終増幅段における受信信号のレベルが線形領域の上限以下であるように非接触識別システム内の呼び掛け応答機のゲインを自動的に設定する方法を、波パケットの形態のトランスポンダー信号の特性に基いて改良する仕方にある。
【課題を解決するための手段】
【０００９】
上記技術的課題は、呼び掛け応答機及び幾つかのトランスポンダーから成る非接触識別システム内の呼び掛け応答機のゲインを自動的に設定する方法であって、呼び掛け応答機の受信機増幅器内において、増幅された入力信号がアタック閾値電圧レベルＶａｔｔを超える毎にアタックが実施され、アタックの終了後にディケイが実施され、アタックの終了後の最後の瞬時増幅信号の値が待ち閾値電圧レベルＶｗを超えた時に始動した待ち期間の経過後に作動したディケイに増幅器が応動することを特徴する方法によって解決される。
【００１０】
本発明の方法はさらに、ディケイ率がアタック率と同程度の大きさであり、また待ち期間の長さが、トランスポンダーデータ波パケットにおける隣接したパルス間の最長時間間隔の二倍の長さであることを特徴とする。
【発明の効果】
【００１１】
本発明によって改良されたゲインを自動的に設定する方法によれば、非接触識別システム内の呼び掛け応答機は入力信号の本質的特徴を変えないようにすることができる。
【発明を実施するための最良の形態】
【００１２】
以下添付図面を参照して例として実施形態の記載により本発明を詳細に説明する。
【００１３】
呼び掛け応答機及び幾つかのトランスポンダーから成る非接触識別システムにおいて、呼び掛け応答機のゲインを自動的に設定する改良された方法が用いられる。
【００１４】
呼び掛け応答機の受信機増幅器において、増幅された入力信号がアタック閾値電圧レベルを超える毎にアタックが実施され、アタックの終了後にディケイが実施される公知の方法は、本発明によって次のように改良される。
【００１５】
アタックの終了後、待ち状態が設けられ、増幅器はゲイン設定の感覚では応答しない。しかし、増幅器は、アタックの終了後の最終の瞬時増幅信号の値が待ち閾値電圧レベルＶｗを超えた時に始動した待ち期間の経過後のディケイに応答する。
【００１６】
データ波パケットにおける隣接したパルス間の最短及び最長時間間隔は、通信プロトコルによって正確に決められる。すなわち、信号周波数スペクトルは既知であり、そして待ち期間の経過後に速いディケイが実施されるようにするために、データ波パケットの到達が止まった時に、本発明の方法の目的で正確に決められ得る。しかし、またデータ波パケットにおける入力信号レベルはほぼ一定であることも知られており、トランスポンダーは、特定のデータ波パケットの伝送中にはその位置を相当には変化できないことが予想される。従って、ゲインは波パケットの到達の開始時に設定され、そして波パケットの到達が止まるまで一定のままである。そこから、ゲインを自動的に設定する改良された方法に従って機能する非接触識別システム内の呼び掛け応答機が実際に入力信号の本質的な特徴を変えなくできる以下の必要条件が引き出される。
【００１７】
ディケイ率は高く、アタック率と同じオーダーの大きさである。待ち期間の長さは、トランスポンダーデータ波パケットにおける隣接パルス間の最長時間間隔の二倍の長さに等しい。
【００１８】
しかし、アタック率は、適当な信号レベルがデータ波パケットの初期パルス後に既に確立されるように十分高くなければならない。
【００１９】
呼び掛け応答機は、例えばその呼び掛け応答機のエリアの近くに位置した第1のトランスポンダーとの通信、すなわち強い受信信号との通信が完了した後、別の遠いトランスポンダーとの通信、すなわち弱い受信信号との通信を開始し得るので、ディケイ率は、増幅器を迅速に高いゲインに到達させるために、高くなければならない。
【００２０】
従って、受信機のゲインを自動的に設定する本発明の方法が適用される呼び掛け応答機は、三つの動作状態、すなわちアタック、待ち及びディケイを持っている。
【００２１】
非接触識別システム内の呼び掛け応答機のゲインを自動的に設定する本発明の方法は、次のように機能する。アタックは入力信号Uinで実施され、出力信号Uoutはアタック閾値電圧レベルVattを超える。アタックは、出力信号Uoutがアタック閾値電圧レベルVatt以下に下がるまで続く。その後、待ち状態となり、この待ち状態の長さは少なくとも待ち期間の長さに等しく、すなわち待ち状態中、ゲインは変化しないままである。ディケイは、待ち期間の経過後に実施され、アタックの終了後の最後の瞬時増幅信号値が待ち閾値電圧レベルVwを超えた時に始動される。
【００２２】
図１における第１のグラフＩには、三つの連続したデータ波パケットの入力信号Ｕｉｎが示されている。すなわち、パケットａは比較的近いトランスポンダーから到達し、パケットｂはどちらかと言えば近いトランスポンダーから到達し、またパケットｃは遠隔のトランスポンダーから到達している。第２のグラフIIには、データ波パケットａ、ｂ、ｃに対応したアナログ出力信号Ｕｏｕｔ、（正の）アタック閾値電圧レベルＶａｔｔ及び待ち閾値電圧レベルＶｗが示され、デジタル出力信号Ｕ’ｏｕｔは第５のグラフＶに示されている。三つ全てのデータ波パケットａ、ｂ、ｃに対するデジタル出力信号Ｕ’ｏｕｔは、それらの強度が大きく違っているにもかかわらず、ほぼ同じ形態である。第３及び第４のグラフには、アタック信号Ｕａｔｔ及びディケイ信号Ｕｄｅｃが示され、これらの信号は、提案した方法に従って三つのデータ波パケットａ、ｂ、ｃに応じて実施される。
【００２３】
第１のデータ波パケットの到達時にアタックは実施され、そして出力信号Ｕｏｕｔがアタック閾値電圧レベルＶａｔｔ以下に下がるまで続く。そしてゲインは、増幅器がディケイに応答するまで変化しないままである。ディケイは、待ち期間の経過後、実施され、アタックの終了後の最後の瞬時増幅信号値が待ち閾値電圧レベルＶｗを超える時に始動される。
【００２４】
第２のデータ波パケットｂの到達時にアタックは実施される。ディケイは、第２のデータ波パケットｂの到達している実際に全時間続き、出力信号Ｕｏｕｔは、最低設定可能ゲインでもアタック閾値電圧レベルＶａｔｔを超える。はくそして出力信号Ｕｏｕｔがアタック閾値電圧レベルＶａｔｔ以下に下がるまで続く。データ波パケットの止まった後に続く待ち期間の経過後にゲインはそれの最高値にリセットされる。
【図面の簡単な説明】
【００２５】
【図１】呼び掛け応答機における受信機増幅器の入力及び出力における電圧の時間依存性、アタック信号、ディケイ信号、並びに強度の異なる三つの波パケットに対するデジタル表示における受信機増幅器の出力における電圧の時間依存性を示すグラフ。
【国際調査報告】
2006512812.tif 000004
2006512812.tif 000005